(57)【要約】【課題】書籍内容を電子化した電子書籍データを再生可能な電子書籍装置において、所望ページの一部をしおり情報として管理し、該しおり情報から該所望ページの文字サイズを拡大したサムネイルを作成して一覧表示できるようにする。【解決手段】電子書籍装置１０は、電子書籍データの所望ページをデコードする電子書籍データデコード部１３と、デコードした所望ページの任意の位置にしおりを付与するしおり位置指定制御部２１と、しおりを付与した位置に基づいて前記所望ページの一部をしおり情報として管理するしおり情報管理部１９と、しおり情報管理部１９により管理されているしおり情報からサムネイルを作成して画面上（モニタ出力部１５）に一覧表示するしおり一覧表示制御部２３とを備える。しおり一覧表示制御部２３は、前記サムネイルを構成する文字のサイズが、前記サムネイルに対応するページの文字サイズ以上となるように表示する。【選択図】図１
2006338142.tif 000002
【特許請求の範囲】
【請求項１】
書籍内容を電子化した電子書籍データを再生可能な電子書籍装置において、前記電子書籍データの所望ページをデコードするデコード手段と、該デコードした所望ページの任意の位置にしおりを付与するしおり付与手段と、該しおりを付与した位置に基づいて前記所望ページの一部をしおり情報として管理するしおり情報管理手段と、を備えていることを特徴とする電子書籍装置。
【請求項２】
請求項１に記載の電子書籍装置において、前記しおり付与手段は、ユーザ操作に従って、前記所望ページの任意の２ヶ所を指定可能とし、前記しおり情報管理手段は、前記指定された２ヶ所で囲まれた範囲をしおり情報として管理することを特徴とする電子書籍装置。
【請求項３】
請求項１に記載の電子書籍装置において、前記しおり付与手段は、ユーザ操作に従って、前記所望ページの任意の１ヶ所を指定可能とし、前記しおり情報管理手段は、前記指定された１ヶ所から読んでいく方向に向って最初の句点位置までの範囲をしおり情報として管理することを特徴とする電子書籍装置。
【請求項４】
請求項１に記載の電子書籍装置において、前記しおり付与手段は、ユーザ操作に従って、前記所望ページの任意の１ヶ所を指定可能とし、前記しおり情報管理手段は、前記指定された１ヶ所から所定数行目の行末までの範囲、又は、所定文字数あるいは所定単語数までの範囲をしおり情報として管理することを特徴とする電子書籍装置。
【請求項５】
請求項１に記載の電子書籍装置において、前記しおり付与手段は、ユーザ操作に従って、前記所望ページの任意の１ヶ所を指定可能とし、前記しおり情報管理手段は、前記指定された１ヶ所の前後の句読点間の範囲をしおり情報として管理することを特徴とする電子書籍装置。
【請求項６】
書籍内容を電子化した電子書籍データを再生可能な電子書籍装置において、前記電子書籍データのページ毎に参照回数を記憶する手段と、前記電子書籍データの所望ページをデコードするデコード手段と、該デコードした所望ページの参照回数に応じて該所望ページの所定の位置にしおりを付与するしおり付与手段と、該しおりを付与した位置に基づいて前記所望ページの一部をしおり情報として管理するしおり情報管理手段と、を備えていることを特徴とする電子書籍装置。
【請求項７】
請求項１乃至６のいずれか１に記載の電子書籍装置において、前記しおり情報管理手段により管理されているしおり情報からサムネイルを作成して画面上に一覧表示するしおり一覧表示制御手段を備えていることを特徴とする電子書籍装置。
【請求項８】
請求項７に記載の電子書籍装置において、前記サムネイルを構成する文字のサイズは、前記サムネイルに対応するページの文字サイズ以上であることを特徴とする電子書籍装置。
【請求項９】
請求項７に記載の電子書籍装置において、前記しおり一覧表示制御手段は、一覧表示させる複数のサムネイルのいずれか１つをメインサムネイルとして表示すると共に、該メインサムネイルのサイズよりも小さいサイズの他のサムネイルを前記メインサムネイルから水平方向あるいは傾斜した方向に配列させて表示することを特徴とする電子書籍装置。
【請求項１０】
請求項７に記載の電子書籍装置において、前記しおり情報管理手段により管理されているしおり情報に重要度あるいはお気に入り度を設定する手段を備え、前記しおり一覧表示制御手段は、複数のサムネイルを一覧表示する際に、該複数のサムネイルそれぞれのしおり情報に設定されている重要度あるいはお気に入り度に応じた識別情報を併せて表示することを特徴とする電子書籍装置。
【請求項１１】
請求項７に記載の電子書籍装置において、前記しおり一覧表示制御手段により一覧表示された複数のサムネイルの中から１つのサムネイルが選択されたときに、該選択されたサムネイルの先頭から該サムネイルに対応するページを再生する手段を備えていることを特徴とする電子書籍装置。
【発明の詳細な説明】
【技術分野】
【０００１】
本発明は、電子書籍装置、より詳細には、電子書籍データの所望ページにしおりを挟むことにより当該しおりを挟んだページを参照し得る電子書籍装置に関する。
【背景技術】
【０００２】
従来、電子書籍装置は、書籍の内容を電子化した電子書籍データを記憶するための記憶媒体、電子書籍データを表示させる液晶表示部、読みたい電子書籍データの選択やページ捲り等を操作する操作入力部、電子書籍装置の各部を制御する制御部等を備え、操作入力部により所望の電子書籍データが選択されると、制御部は記憶媒体から該当する電子書籍データを読み出して、その電子書籍データの１ページ目の本文データを液晶表示部に表示し、さらに、操作入力部においてページ捲りが指示されると液晶表示部に表示されている書籍データを次ページに切り替えて表示できるように構成されている。
【０００３】
このような電子書籍装置は、従来の紙の書籍と比較して、資源の消費を抑えることができ、また、一つの装置で複数の電子書籍データを記憶できるので携帯に便利である。更に、書籍の管理が容易となる。このように様々な利点を持つことから、電子書籍専用機をはじめ、携帯電話機、ＰＤＡ（Ｐｅｒｓｏｎａｌ  Ｄｉｇｉｔａｌ  Ａｓｓｉｔａｎｔ）など様々な形態の電子書籍装置が普及してきている。
【０００４】
従来の電子書籍装置において、表示画面上で大量の書籍データの中から所望のページを含むページを検索する場合、電子書籍ファイルを開き閲覧しながら、ページ送り、ページ戻しなどを行い、必要とするページにたどり着くという方法がとられていた。また、しおり一覧といわれるしおり情報リスト画面を表示し、このリスト画面中から再生するページを選択し、実行ボタンを押下することにより、その選択したページを画面上に表示するようにしていた。
【０００５】
このような状況の中で、操作性のよいユーザインタフェース表示を開発するための多くの試みがなされているが、その１つとして特許文献１には、表示画面上でしおりを挟むことを指示することにより、しおりを挟んだページを参照し得るようにしたドキュメント表示システムが開示され、このドキュメント表示システムにおいては、資料の表示画面にしおり使用を指示する領域としおり参照を指示する領域を設け、あるページが表示されているときしおり使用が指示された場合、ページ表示内容を縮小してしおりを作成する手段と、しおり参照が指示された場合、それまでに作成されたしおりを一覧し得るごとく表示する手段と、これらの手段により表示された各しおりのいずれかを選択指示することにより上記しおりに対応するページを画面に表示する手段とを備えている。
【０００６】
また、特許文献２には、しおり・インデックスとして登録される情報内容をより詳細に記述することにより、検索処理を簡単化して、作業の効率化を図る画像処理装置が開示され、この画像処理装置は、インターネットのしおりや、ＣＤ−ＲＯＭ等のデータベースのインデックスの索引情報として、文字のみならず表示された画像を付加して登録し、その登録した索引情報に基づいて元のデータを検索するようにしている。
【特許文献１】特開平３−４１５５９号公報
【特許文献２】特開２０００−４７７８９号公報
【発明の開示】
【発明が解決しようとする課題】
【０００７】
しかしながら、従来の電子書籍装置では、しおりを挟んだページを表示する際に、ページ全体が縮小表示されてしまい、その結果、文字が見づらいという問題があった。
【０００８】
本発明は、上述のごとき実情に鑑みてなされたものであり、書籍内容を電子化した電子書籍データを再生可能な電子書籍装置において、所望ページの一部をしおり情報として管理し、該しおり情報から該所望ページの文字サイズを拡大したサムネイルを作成して一覧表示できるようにすること、を目的とする。
【課題を解決するための手段】
【０００９】
上記課題を解決するために、本発明の第１の技術手段は、書籍内容を電子化した電子書籍データを再生可能な電子書籍装置において、前記電子書籍データの所望ページをデコードするデコード手段と、該デコードした所望ページの任意の位置にしおりを付与するしおり付与手段と、該しおりを付与した位置に基づいて前記所望ページの一部をしおり情報として管理するしおり情報管理手段と、を備えていることを特徴としたものである。
【００１０】
本発明の第２の技術手段は、第１の技術手段において、前記しおり付与手段は、ユーザ操作に従って、前記所望ページの任意の２ヶ所を指定可能とし、前記しおり情報管理手段は、前記指定された２ヶ所で囲まれた範囲をしおり情報として管理することを特徴としたものである。
【００１１】
本発明の第３の技術手段は、第１の技術手段において、前記しおり付与手段は、ユーザ操作に従って、前記所望ページの任意の１ヶ所を指定可能とし、前記しおり情報管理手段は、前記指定された１ヶ所から読んでいく方向に向って最初の句点位置までの範囲をしおり情報として管理することを特徴としたものである。
【００１２】
本発明の第４の技術手段は、第１の技術手段において、前記しおり付与手段は、ユーザ操作に従って、前記所望ページの任意の１ヶ所を指定可能とし、前記しおり情報管理手段は、前記指定された１ヶ所から所定数行目の行末までの範囲、又は、所定文字数あるいは所定単語数までの範囲をしおり情報として管理することを特徴としたものである。
【００１３】
本発明の第５の技術手段は、第１の技術手段において、前記しおり付与手段は、ユーザ操作に従って、前記所望ページの任意の１ヶ所を指定可能とし、前記しおり情報管理手段は、前記指定された１ヶ所の前後の句読点間の範囲をしおり情報として管理することを特徴としたものである。
【００１４】
本発明の第６の技術手段は、書籍内容を電子化した電子書籍データを再生可能な電子書籍装置において、前記電子書籍データのページ毎に参照回数を記憶する手段と、前記電子書籍データの所望ページをデコードするデコード手段と、該デコードした所望ページの参照回数に応じて該所望ページの所定の位置にしおりを付与するしおり付与手段と、該しおりを付与した位置に基づいて前記所望ページの一部をしおり情報として管理するしおり情報管理手段と、を備えていることを特徴としたものである。
【００１５】
本発明の第７の技術手段は、第１乃至第６のいずれか１の技術手段において、前記しおり情報管理手段により管理されているしおり情報からサムネイルを作成して画面上に一覧表示するしおり一覧表示制御手段を備えていることを特徴としたものである。
【００１６】
本発明の第８の技術手段は、第７の技術手段において、前記サムネイルを構成する文字のサイズは、前記サムネイルに対応するページの文字サイズ以上であることを特徴としたものである。
【００１７】
本発明の第９の技術手段は、第７の技術手段において、前記しおり一覧表示制御手段は、一覧表示させる複数のサムネイルのいずれか１つをメインサムネイルとして表示すると共に、該メインサムネイルのサイズよりも小さいサイズの他のサムネイルを前記メインサムネイルから水平方向あるいは傾斜した方向に配列させて表示することを特徴としたものである。
【００１８】
本発明の第１０の技術手段は、第７の技術手段において、前記しおり情報管理手段により管理されているしおり情報に重要度あるいはお気に入り度を設定する手段を備え、前記しおり一覧表示制御手段は、複数のサムネイルを一覧表示する際に、該複数のサムネイルそれぞれのしおり情報に設定されている重要度あるいはお気に入り度に応じた識別情報を併せて表示することを特徴としたものである。
【００１９】
本発明の第１１の技術手段において、第７の技術手段において、前記しおり一覧表示制御手段により一覧表示された複数のサムネイルの中から１つのサムネイルが選択されたときに、該選択されたサムネイルの先頭から該サムネイルに対応するページを再生する手段を備えていることを特徴としたものである。
【発明の効果】
【００２０】
本発明によれば、書籍内容を電子化した電子書籍データを再生可能な電子書籍装置において、所望ページの一部をしおり情報として管理し、該しおり情報から該所望ページの文字サイズを拡大したサムネイルを作成して一覧表示できるため、サムネイルの文字の視認性を向上させることができる。
【発明を実施するための最良の形態】
【００２１】
図１は、本発明の一実施形態に係る電子書籍装置の構成例を示すブロック図で、図中、１０は電子書籍装置で、該電子書籍装置１０は、ＨＤＤ（ハードディスクドライブ）１１、ファイルシステム部１２、電子書籍データデコード部１３、文書レイアウト処理部１４、モニタ出力部１５、操作パネル１６、操作パネル制御検出部１７、指定ページ表示制御部１８、しおり情報管理部１９、しおり抽出処理部２０、しおり位置指定制御部２１、しおりレイアウト処理２２、しおり一覧表示制御部２３、を備えている。
【００２２】
以下、本実施形態の電子書籍装置１０が備える各部について詳細に説明する。ＨＤＤ１１は、外部記録媒体あるいはネットワークを介して取得される電子書籍データを記憶する記憶手段である。ファイルシステム部１２は、ＨＤＤ１１から電子書籍データを読み出す手段である。操作パネル１６は、ユーザからの各種操作入力を受け付ける手段であり、画面表示させる電子書籍データのページ指定の入力などを受け付ける。操作パネル制御検出部１７は、操作パネル１６から指定されたページの表示要求を検出する。指定ページ表示制御部１８は、操作パネル制御検出部１７で検出されたページ表示要求に従って、指定されたページを表示するように電子書籍データデコード部１３を制御する。
【００２３】
電子書籍データデコード部１３は、電子書籍データの所望ページをデコードする手段である。文書レイアウト処理部１４は、電子書籍データデコード部１３でデコードされたページを文書イメージ（すなわち、モニタ出力イメージ）に展開する。モニタ出力部１５は、文書レイアウト処理部１４で展開された文書イメージを表示するための手段で、例えば液晶ディスプレイなどで構成されている。
【００２４】
以下、しおりの登録処理について説明する。電子書籍装置１０の読者は、操作パネル１６を操作して電子書籍データの所望ページを表示させた状態で、しおり位置を指定するための指示を行う。操作パネル制御検出部１７は、しおり位置の指定要求を検出し、しおり位置指定制御部２１に通知する。しおり位置指定制御部２１は、ユーザ操作に従って、しおり位置を指定する手段であって、所望ページの任意の位置にしおりを付与する本発明のしおり付与手段に該当する。例えば、しおり位置指定制御部２１からの制御により、文書レイアウト処理部１４が画面上に表示されている所望ページにカーソル（本発明のしおりに相当する）を表示し、読者がカーソルを操作して所望ページ上の任意の範囲（例えば、ページの先頭行のみあるいは先頭行から数行分など）をしおり情報として指定するようにしてもよい。この場合、しおり情報は、テキストデータとして抽出される。このしおり情報の抽出処理は、しおり抽出処理部２０により実行される。
【００２５】
また、しおり位置指定制御部２１は、文書レイアウト処理部１４が作成した画面イメージの一部（例えば、画面右上の領域など）をしおり情報として指定してもよい。この場合、しおり情報は、イメージデータとして抽出される。このしおり情報の抽出処理は、しおり抽出処理部２０により実行される。
【００２６】
また、別の実施形態として、しおり位置指定制御部２１は、自動的にしおり位置を指定してもよい。この場合、電子書籍データのページ毎の参照回数をＨＤＤ１１などの記憶手段に記憶しておく。しおり位置指定制御部２１は、読者が参照している所望ページの参照回数に応じて当該所望ページの所定の位置にしおりを付与する。例えば、読者が参照しているページの参照回数が１０回以上の場合、そのページの先頭にしおりを付与し、先頭から所定数行（あるいは所定数列）分の文字データをしおり情報として自動的に指定するようにする。なお、自動的にしおり位置を指定する場合も、画面イメージの一部をしおり情報として指定してもよい。テキストデータあるいはイメージデータのしおりの抽出処理は、しおり抽出処理部２０により実行される。
【００２７】
このように、テキストデータあるいはイメージデータとして抽出されたしおり情報はしおり情報管理部１９により管理される。しおり情報管理部１９は、しおり抽出処理部２０で抽出したしおり情報を、ファイルシステム部１２を介してＨＤＤ１１に登録する。この際、しおり情報と、しおり情報の元になる電子書籍データのページとは関連付けされて登録される。
【００２８】
次に、しおり情報の一覧表示処理について説明する。電子書籍装置１０の読者は、操作パネル１６を操作してしおり一覧を表示するための指示を行う、操作パネル制御検出部１７は、しおり一覧の表示要求を検出し、しおり一覧表示制御部２３に通知する。しおり一覧表示制御部２３は、しおりレイアウト処理部２２にしおり一覧画面を作成、表示するように指示し、しおりレイアウト処理部２２は、しおり情報管理部１９を介してＨＤＤ１１からしおり情報を読み出し、しおり一覧（サムネイル一覧）画面を作成し、さらに、作成したしおり一覧画面をモニタ出力部１５から出力する。
【００２９】
次に、電子書籍装置１０の読者が、操作パネル１６を操作して画面上のしおり一覧の中から所望のしおり情報を選択すると、選択されたしおり情報に該当するページが、操作パネル制御検出部１７から指定ページ表示制御部１８に通知され、指定ページ表示制御部１８は、ページ表示処理フローに従って、該当ページを表示するように制御する。この際、選択されたしおり情報の先頭から、そのしおり情報に対応するページを再生する、所謂頭出し再生するように制御してもよい。
【００３０】
ここで、しおり一覧表示制御部２３は、しおり情報管理部１９により管理されているしおり情報からサムネイルの一覧を作成して画面表示するように、しおりレイアウト処理部２２を制御する。この際、サムネイルを構成する文字のサイズは、そのサムネイルに対応するページの文字サイズ以上にする。従来、ページ全体を表示するサムネイルの場合、サムネイルの文字が縮小表示されてしまい、視認性が悪かったが、本実施形態のように、ページの一部をサムネイルにすることで文字サイズを大きくできるため、読者がサムネイルを選択する際の視認性を向上させることができる。
【００３１】
図２は、本発明が適用される電子書籍装置１０のページ表示処理の一例を説明するためのフロー図である。まず、電子書籍装置１０の読者が、操作パネル１６から電子書籍データのページを指定すると（ステップＳ１）、操作パネル制御検出部１７が指定ページの表示要求を検出し、その検出結果を指定ページ表示制御部１８に通知する（ステップＳ２）。指定ページ表示制御部１８は、指定ページを表示するように電子書籍データデコード部１３を制御する（ステップＳ３）。電子書籍データデコード部１３は、指定ページ表示制御部１８からの制御信号に従って、ＨＤＤ１１から該当する電子書籍データを読み出して、指定ページの文書データをデコードする（ステップＳ４）。
【００３２】
次に、文書レイアウト処理部１４は、電子書籍データデコード部１３でデコードされた文書データを文書イメージ（モニタ出力イメージ）に展開し（ステップＳ５）、展開した文書イメージをモニタ出力部１５から出力する（ステップＳ６）。
【００３３】
図３は、本発明が適用される電子書籍装置１０のしおり登録処理の一例を説明するためのフロー図である。まず、電子書籍装置１０の読者が、操作パネル１６からしおり位置を指定するための指示を行うと（ステップＳ１１）、操作パネル制御検出部１７がしおり位置の指定要求を検出し、その検出結果をしおり位置指定制御部２１に通知する（ステップＳ１２）。しおり位置指定制御部２１は、ユーザ操作に従い、ページ上でしおり位置を指定する（ステップＳ１３）。この際、文書レイアウト処理部１４が、画面上に範囲指定用のカーソルを表示させ、読者が操作パネル１６からカーソルを操作して、しおり範囲（開始位置と終了位置）を指定するようにしてもよい。
【００３４】
次に、しおり位置指定制御部２１は、指定されたしおり範囲をしおり抽出処理部２０に渡し、しおり抽出処理部２０は、渡されたしおり範囲に対応する部分を当該ページから抽出する（ステップＳ１４）。ここで、しおり情報をテキストデータとしてではなく、文書レイアウト処理部１４で作成した画面イメージの一部（イメージデータ）として抽出してもよい。しおり情報管理部１９は、しおり抽出処理部２０により抽出されたページの一部（テキストデータあるいはイメージデータのいずれでもよい）をしおり情報としてファイルシステム部１２を介してＨＤＤ１１に登録して管理する（ステップＳ１５）。
【００３５】
図４は、本発明が適用される電子書籍装置１０のしおり一覧表示処理の一例を説明するためのフロー図である。まず、電子書籍装置１０の読者が、操作パネル１６からしおり一覧を表示するための指示を行うと（ステップＳ２１）、操作パネル制御検出部１７がしおり一覧の表示要求を検出し、その検出結果をしおり一覧表示制御部２３に通知する（ステップＳ２２）。しおり一覧表示制御部２３は、しおりレイアウト処理部２２に対して、しおり一覧の表示指示を行い、しおりレイアウト処理部２２は、しおり一覧表示制御部２３からのしおり一覧の表示指示に従って、しおり情報管理部１９を介してＨＤＤ１１からしおり情報を読み出して、しおり一覧を作成する（ステップＳ２３）。
【００３６】
次に、しおりレイアウト処理部２２は、上記ステップＳ２３で作成したしおり一覧をモニタ出力部１５から出力する（ステップＳ２４）。次に、電子書籍装置１０の読者が、操作パネル１６を操作して画面上のしおり一覧の中から所望のしおり情報を選択すると、選択されたしおり情報に該当するページが、操作パネル制御検出部１７から指定ページ表示制御部１８に通知され、指定ページ表示制御部１８は、ページ表示処理フローに従って、該当ページを表示するように制御する（ステップＳ２５）。この際、選択されたしおり情報の先頭から、そのしおり情報に対応するページを再生する。
【００３７】
図５は、電子書籍装置１０の画面上でしおり範囲を指定するためのカーソルの一例を示す図で、図中、３０はモニタ画面を示す。モニタ画面３０には読者が所望するページが表示され、しおり範囲を指定するためのカーソル（以下、しおり）３１が表示され、読者はしおり３１を操作パネル１６から操作することができる。読者は、しおり３１を操作して当該ページ上の任意の位置（開始位置、あるいは開始位置及び終了位置）を指定することにより、その開始位置から終了位置までをしおり範囲として登録することができる。この際、しおり３１で開始位置のみを指定するようにしてもよく、この場合、終了位置は自動的に指定される。例えば、開始位置から読んでいく方向に向かって最初の句点位置を終了位置にしてもよい。また、開始位置から所定数行目の行末を終了位置にしてもよい。また、開始位置から所定文字数あるいは所定単語数までの範囲をしおり範囲として登録してもよい。また、当該ページ上の任意の１点を指定し、その１点の前後の句読点間の範囲をしおり範囲として登録してもよい。また、別の実施形態として、当該ページの参照回数に応じて自動的にしおり範囲（開始位置及び終了位置）が付与されるようにしてもよい。
【００３８】
また、しおり３１により範囲指定されたしおり情報に、重要度あるいはお気に入り度などを設定できるようにしてもよい。この場合、しおり情報（サムネイル）の一覧を画面に表示するときに、しおり情報と共に、しおり情報に設定されている重要度あるいはお気に入り度に応じた識別情報を併せて表示する。識別情報としては、後述する図７に示すように、例えば、しおりが付与されたページであることを示すしおりマークや枠などの色や形状を変えるようにする。読者がしおり一覧の中から所望のページを再生するときに、これらの識別情報を参照しながらページを選択することができる。
【００３９】
次に、しおり一覧に表示させるサムネイルの作成方法を図６に基づいて説明する。図６（Ａ）は、ページの先頭から数文字を拡大してサムネイルを作成する例を説明するための図で、図中、４０はモニタ画面を示す。モニタ画面４０に表示されているページの先頭から数文字がしおり範囲４１として指定され、このしおり範囲４１に含まれる数文字が拡大されサムネイル４２が作成される。また、図６（Ｂ）は、ページの一部を切り出してサムネイルを作成する例を説明するための図で、図中、５０はモニタ画面を示す。モニタ画面５０に表示されているページの一部（本例では右上部）がしおり範囲５１として指定され、このしおり範囲５１が切り出されてサムネイル５２が作成される。
【００４０】
次に、しおり（サムネイル）一覧の表示方法を図７に基づいて説明する。図７（Ａ）は、サムネイルにしおりマークを併せて表示した例を示す図で、図中、６０はモニタ画面を示す。モニタ画面６０には例えば９個のサムネイル６１が全体として略くの字状に配列され、１つのサムネイル６１は大サイズのメインサムネイルとして表示され、複数の他のサムネイル６１は小サイズのサムネイルとして表示されている。この小サイズのサムネイル６１はメインサムネイルのサイズよりも小さく、メインサムネイルから水平方向あるいは傾斜した方向に配列させて表示するように制御される。
【００４１】
読者は、操作パネル１６を操作して、左右方向の操作によりサムネイル間のページ間隔を変更させ、上下方向の操作により複数のサムネイルを移動させることができる。このような表示形態により、電子書籍データに含まれるページ内容を一覧性と認識製の調和を図って表示できると共に、１つのサムネイルをメインサムネイルとして画面に大サイズで表示することによって詳細且つ容易に内容を把握することができる。
【００４２】
図７（Ａ）において、電子書籍データから作成されたサムネイル６１には、読者がしおりを付与したことを示すしおりマーク６２が併せて表示されている。例えば、電子書籍データの先頭ページから最終ページの間において、任意の複数（本例では９ヶ所）のページにしおりが付与されると、これら９ヶ所のしおり部分からサムネイル６１が作成され、サムネイル６１と併せてしおりマーク６２が表示される。なお、サムネイル６１を作成するページはしおりが付与されたページ以外に、電子書籍データ中の章、節、文節などの区切りのよいページとしてもよい。
【００４３】
また、図７（Ｂ）は、サムネイルに枠を併せて表示した例を示す図で、図中、７０はモニタ画面を示す。図７（Ａ）と同様に、モニタ画面７０には例えば９個のサムネイル７１が全体として略くの字状に配列され、１つのサムネイル７１は大サイズのメインサムネイルとして表示され、複数の他のサムネイル７１は小サイズのサムネイルとして表示されている。この小サイズのサムネイル７１はメインサムネイルのサイズよりも小さく、メインサムネイルから水平方向あるいは傾斜した方向に配列させて表示するように制御される。
【００４４】
図７（Ｂ）において、電子書籍データから作成されたサムネイル７１には、読者がしおりを付与したことを示す枠７２が併せて表示されている。例えば、電子書籍データの先頭ページから最終ページの間において、任意の複数（本例では９ヶ所）のページにしおりが付与されると、これら９ヶ所のしおり部分からサムネイル７１が作成され、サムネイル７１と併せて枠７２が表示される。なお、サムネイル７１を作成するページはしおりが付与されたページ以外に、電子書籍データ中の章、節、文節などの区切りのよいページとしてもよい。
【００４５】
図７（Ａ）及び図７（Ｂ）において、しおり情報管理部１９により管理されているしおり情報（サムネイル）に重要度あるいはお気に入り度が設定されている場合、しおり一覧表示制御部２３は、複数のサムネイル（本例では９個のサムネイル）を表示する際に、サムネイルそれぞれのしおり情報に設定されている重要度あるいはお気に入り度に応じた識別情報を併せて表示するようにしてもよい。この識別情報として、例えば、しおりマーク６２の色や形状などを変えたり、枠７２の色や形状などを変えるようにしてもよい。
【００４６】
以上説明したように、本発明によれば、書籍内容を電子化した電子書籍データを再生可能な電子書籍装置において、所望ページの一部をしおり情報として管理し、該しおり情報から該所望ページの文字サイズを拡大したサムネイルを作成して一覧表示できるため、サムネイルの文字の視認性を向上させることができる。
【図面の簡単な説明】
【００４７】
【図１】本発明の一実施形態に係る電子書籍装置の構成例を示すブロック図である。
【図２】本発明が適用される電子書籍装置のページ表示処理の一例を説明するためのフロー図である。
【図３】本発明が適用される電子書籍装置のしおり登録処理の一例を説明するためのフロー図である。
【図４】本発明が適用される電子書籍装置のしおり一覧表示処理の一例を説明するためのフロー図である。
【図５】電子書籍装置の画面上でしおり範囲を指定するためのカーソルの一例を示す図である。
【図６】しおり一覧に表示させるサムネイルの作成方法の一例を説明するための図である。
【図７】しおり一覧の表示方法の一例を説明するための図である。
【符号の説明】
【００４８】
１０…電子書籍装置、１１…ＨＤＤ、１２…ファイルシステム部、１３…電子書籍データデコード部、１４…文書レイアウト処理部、１５…モニタ出力部、１６…操作パネル、１７…操作パネル制御検出部、１８…指定ページ表示制御部、１９…しおり情報管理部、２０…しおり検出処理部、２１…しおり位置指定制御部、２２…しおりレイアウト処理部、２３…しおり一覧表示制御部、３０，４０，５０，６０，７０…モニタ画面、３１…カーソル（しおり）、６２…しおりマーク、４１，５１…しおり範囲、４２，５２，６１，７１…サムネイル、７２…枠。
【図１】
2006338142.tif 000003
【図２】
2006338142.tif 000004
【図３】
2006338142.tif 000005
【図４】
2006338142.tif 000006
【図５】
2006338142.tif 000007
【図６】
2006338142.tif 000008
【図７】
2006338142.tif 000009